(57)【要約】  プッシュタイプのボタンを採用することにより内容物を選択的にコンパクト容器の外部へ吐出させるとともに、微細ホールを有するディスク型パネルを採用することにより化粧液の均一な吐出を実現することができる、均一な化粧液吐出機能を有するコンパクト容器を提供する。  本発明は、容器本体（１１）と、前記容器本体の内側に装着されて前記第１貯蔵空間を限定し、構造体ホールを有する固定構造体（１５）と、前記固定構造体を覆うように前記容器本体上に装着され、前記容器本体の内容物を吐出するための吐出口を有する第１ケース（２５）と、前記第１ケースの上部に設置され、多数の微細孔を有することにより、吐出口を介して提供される内容物が分散した形態で上部へ吐出されるように誘導するディスク型パネル（５７）と、前記構造体ホールの内側から前記構造体ホールの上下に移動して前記吐出口を開閉するためのピストンモジュール（４３）と、前記ピストンモジュールを前記構造体ホールの上下に移動させるプッシュボタン（４７）と、前記固定構造体の内壁に装着され、前記プッシュボタンの動作によって、前記第１貯蔵空間に貯蔵された内容物を前記構造体ホールの内側へ移動させる内容物圧縮手段（４１）とを含んでなることを特徴とする。
2017500897.tif 000002
【特許請求の範囲】
【請求項１】
内容物を貯蔵するための第１貯蔵空間が形成された容器本体（１１）と、
前記容器本体の内側に装着されて前記第１貯蔵空間を限定し、構造体ホールを有する固定構造体（１５）と、
前記固定構造体を覆うように前記容器本体上に装着され、前記容器本体の内容物を吐出するための吐出口を有する第１ケース（２５）と、
前  記第１ケースの上部に設置され、多数の微細孔を有することにより、吐出口を介して提供される内容物が分散した形態で上部へ吐出されるように誘導するディスク型パネル（５７）と、
前記構造体ホールの内側で、前記構造体ホールの上下に移動して前記吐出口を開閉するためのピストンモジュール（４３）と、
前記固定構造体と前記保護ケースとの間に位置し、プッシュ動作によって前記ピストンモジュールを前記構造体ホールの上下に移動させるプッシュボタン（４７）と、
前記固定構造体の内壁に装着され、前記プッシュボタンの動作によって、前記第１貯蔵空間に貯蔵された内容物を前記構造体ホールの内側へ移動させる内容物圧縮手段（４１）と、
前記内容物圧縮手段の動作によって前記第１貯蔵空間の内側で前記構造体ホールを開閉して前記構造体ホールと前記第１貯蔵空間とを連通させるバルブモジュール（７７）とを含んでなることを特徴とする、均一な化粧液吐出機能を有するコンパクト容器。
【請求項２】
前記プッシュボタン（４７）および前記ピストンモジュール（４３）の移動方向は互いに垂直であることを特徴とする、請求項１に記載の均一な化粧液吐出機能を有するコンパクト容器。
【請求項３】
前記プッシュボタン（４７）は、
押圧用突起（７３ａ）、および前記押圧用突起から両側へ延びた第１水平パネル（７３ｂ）からなり、前記第１水平パネルの内側に半円状の挿入用ホール（７３ｃ）が設けられ、第１水平パネルにはヒンジ部（７３ｄ）が両側に設けられてなる第１押さえ手段（７３）と、
前記第１押さえ手段（７３）の挿入用ホール（７３ｃ）に嵌合され、支持用突起（７５ａ）および前記支持用突起から両側に延びた第２水平パネル（７５ｂ）からなり、第１水平パネルにヒンジ（７５ｃ）を介して結合され、前記第２水平パネル（７５ｂ）の内側には半円状のホール（７５ｄ）が設けられてなる第２押さえ手段（７５）と、
を含むことを特徴とする、請求項１または２に記載の均一な化粧液吐出機能を有するコンパクト容器。
【請求項４】
前記ピストンモジュール（４３）は、
前記プッシュボタンに設けられた開閉手段貫通ホールを貫通して前記吐出口を開閉する吐出口開閉手段（５１）と、
前記吐出口開閉手段の昇降動作に対応して昇降する密閉手段（５３）と、
前記密閉手段を貫通し、前記密閉手段の端部に対して接触または離隔することにより、前記内容物の吐出を制御する支持体（５５）と、
を備えることを特徴とする、請求項１または２に記載の均一な化粧液吐出機能を有するコンパクト容器。
【請求項５】
前記ディスク型パネル（５７）の上部には、固定手段としてリング状の密閉用カバー（８０）がさらに設置されることを特徴とする、請求項１に記載の均一な化粧液吐出機能を有するコンパクト容器。
【請求項６】
前記第１ケース（２５）と前記ディスク型パネル（５７）との間には、吐出部（２３）を介して提供された化粧溶液が通過する離隔空間部（５７ｂ）を有することを特徴とする、請求項１に記載の均一な化粧液吐出機能を有するコンパクト容器。
【請求項７】
前記ディスク型パネル（５７）はピストンモジュール（４３）の上部に位置することを特徴とする、請求項１に記載の均一な化粧液吐出機能を有するコンパクト容器。
【請求項８】
前記ディスク型パネル（５７）は金属または合成樹脂製であることを特徴とする、請求項１に記載の均一な化粧液吐出機能を有するコンパクト容器。
【発明の詳細な説明】
【技術分野】
【０００１】
本発明は、均一な化粧液吐出機能を有するコンパクト容器に係り、さらに詳しくは、プッシュタイプのボタンを採用することにより内容物を選択的にコンパクト容器の外部へ吐出させるとともに、微細ホールを有するディスク型パネルを採用することにより化粧液の均一な吐出を実現することができる、均一な化粧液吐出機能を有するコンパクト容器に関する。
【背景技術】
【０００２】
一般に、顔のスキンケアのために保湿効果のあるスキン、ローションを使って基礎化粧をした後、各種メーキャップ化粧品を使ってメークをする。
【０００３】
このようにメークをするときに使うメーキャップ化粧品は、化粧部位に応じて適切なメーキャップ化粧品が異なり、様々な色相のカラーからなっているため、外出中に携帯する必要がある場合にはその個数が多くて携帯体積が大きくなる。
【０００４】
前述のようにメーキャップ化粧品の体積を減らす方法の一環として、通常の消費者は化粧品サンプルを携帯し、それに応えて提供される化粧品がお試しサンプルである。
【０００５】
一方、最も広く使われている従来の化粧品ケースは、以下の特許文献１に開示されている。この従来の化粧品ケースは、図１に示すように、化粧品収容部１０、カバー部材２０およびミラー３０から構成されている。ミラー３０は、カバー部材２０の底面に付いている。カバー部材２０は、ロック手段１２によって化粧品収容部１０に締結されて閉じられている。ロック解除手段１１を押してカバー部材２０を開き、カバー部材２０の底面に付いているミラー３０を見ながら化粧をすることができるように構成されている。
【０００６】
このような従来のコンパクト容器は、リング状の連結部材を介してボディとオーバーキャップとを連結し、オーバーキャップが閉じた状態でボディとオーバーキャップとが螺合によって回転式で結合するようにすることにより、内部気密性をある程度向上させることができる。
【０００７】
しかし、前記従来のコンパクト容器は、一定量の内容物を使用することが難しいため、過度に多い或いは少ない量を使用することにより化粧の効果を極大化させることができないという欠点を有する。さらに、従来のコンパクト容器は、オーバーキャップが人為的に開かれた状態で保管される場合或いは使用者の不注意で開かれる場合、内容物の変質や容器周辺の汚染を防止することが難しいという欠点を有する。
【先行技術文献】
【特許文献】
【０００８】
【特許文献１】韓国登録特許第１０−１１９００４１号公報
【発明の概要】
【発明が解決しようとする課題】
【０００９】
本発明は、上述した問題点を解決するためになされたもので、その目的は、コンパクト容器の内側にプッシュタイプのボタンを装着することにより内容物を選択的にコンパクト容器の外部へ吐出させるが、多数のホールを有するディスク型パネルを介して全体的に均一に化粧液のポンピングが行われてより容易に化粧液が使用できるようにすることにある。
【００１０】
また、本発明の他の目的は、プッシュタイプのボタンを採用することにより、常に一定量の内容物を吐出させることができるため、化粧の効果を極大化させることができる、エアレスポンプを有するコンパクト容器を提供することにある。
【課題を解決するための手段】
【００１１】
上記目的を達成するための手段として、
本発明は、内容物を貯蔵するための第１貯蔵空間が形成された容器本体１１と、前記容器本体の内側に装着されて前記第１貯蔵空間を限定し、構造体ホールを有する固定構造体１５と、前記固定構造体を覆うように前記容器本体上に装着され、前記容器本体の内容物を吐出するための吐出口を有する第１ケース２５と、前記第１ケースの上部に設置され、多数の微細孔を有することにより、吐出口を介して提供される内容物が分散した形態で上部に吐出されるように誘導するディスク型パネル５７と、前記構造体ホールの内側で、前記構造体ホールの上下に移動して前記吐出口を開閉するためのピストンモジュール４３と、前記固定構造体と前記保護ケースとの間に位置し、プッシュ動作によって前記ピストンモジュールを前記構造体ホールの上下に移動させるプッシュボタン４７と、前記固定構造体の内壁に装着され、前記プッシュボタンの動作によって、前記第１貯蔵空間に貯蔵された内容物を前記構造体ホールの内側へ移動させる内容物圧縮手段４１と、前記内容物圧縮手段の動作によって前記第１貯蔵空間の内側で前記構造体ホールを開閉して前記構造体ホールと前記第１貯蔵空間とを連通させるバルブモジュール７７とを含んでなることを特徴とする。
【００１２】
また、前記プッシュボタン４７および前記ピストンモジュール４３の移動方向は互いに垂直であることを特徴とする。
【００１３】
また、前記プッシュボタン４７は、押圧用突起７３ａ、および前記押圧用突起から両側へ延びた第１水平パネル７３ｂからなり、前記第１水平パネルの内側に半円状の挿入用ホール７３ｃが設けられ、第１水平パネルにはヒンジ部７３ｄが両側に設けられてなる第１押さえ手段７３と；前記第１押さえ手段７３の挿入用ホール７３ｃに嵌合され、支持用突起７５ａおよび前記支持用突起から両側に延びた第２水平パネル７５ｂからなり、第１水平パネルにヒンジ７５ｃを介して結合され、前記第２水平パネル７５ｂの内側には半円状のホール７５ｄが設けられてなる第２押さえ手段７５と；を含むことを特徴とする。
【００１４】
また、前記ピストンモジュール４３は、前記プッシュボタンに設けられた開閉手段貫通ホールを貫通して前記吐出口を開閉する吐出口開閉手段５１と、前記吐出口開閉手段の昇降動作に対応して昇降する密閉手段５３と、前記密閉手段を貫通し、前記密閉手段の端部に対して接触または離隔することにより、前記内容物の吐出を制御する支持体５５とを備えることを特徴とする
【００１５】
また、前記ディスク型パネル５７の上部には、固定手段としてリング状の密閉用カバー８０がさらに設置されることを特徴とする。
【００１６】
また、前記第１ケース２５と前記ディスク型パネル５７との間には、吐出部２３を介して提供された化粧溶液が通過する離隔空間部５７ｂを有することを特徴とする。
【００１７】
また、前記ディスク型パネル５７はピストンモジュール４３の上部に位置することを特徴とする。
【００１８】
また、前記ディスク型パネル５７は金属または合成樹脂製であることを特徴とする。
【発明の効果】
【００１９】
上述したように、本発明に係るエアレスポンプを有するコンパクト容器によれば、コンパクト容器の内側にプッシュタイプのボタンを装着することにより内容物を選択的にコンパクト容器の外部へ吐出させるが、多数のホールを有するディスク型パネルを介して全体的に均一に化粧液のポンピングが行われてより容易に化粧液が使用できるようにするという効果がある。
【００２０】
また、本発明は、プッシュタイプのボタンを採用することにより、常に一定量の内容物を吐出させることができるため、化粧の効果を極大化させることができる、エアレスポンプを有するコンパクト容器を提供するという効果がある。
【図面の簡単な説明】
【００２１】
【図１】一般的なコンパクト容器の外観を示す斜視図である。
【図２】本発明のコンパクト容器の全体外観を示す斜視図である。
【図３】本発明のコンパクト容器の部分切開斜視図である。
【図４】本発明のコンパクト容器の分解斜視図である。
【図５】本発明のプッシュボタンの分解斜視図である。
【図６】本発明のコンパクト容器を示す断面図である。
【図７】図６の要部拡大図である。
【図８】本発明のポンピング動作を示す断面図である。
【図９】図８の要部拡大図である。
【発明を実施するための形態】
【００２２】
以下、添付図面および説明を参照して本発明の好適な実施例の動作原理を詳細に説明する。但し、下記の図面と後述の説明は本発明の特徴を効果的に説明するための様々な方法のうち好ましい実施方法に関するものであり、本発明は下記の図面と説明に限定されるものではない。
【００２３】
また、下記において、本発明を説明するにあたり、かかる公知の機能または構成に関する具体的な説明が本発明の要旨を不明にするおそれがあると判断された場合は、その詳細な説明を省略する。また、後述する用語は本発明における機能を考慮して定義された用語であって、これは使用者、運用者の意図または慣例などによって異なる。したがって、その定義は、本明細書の全般にわたっての内容に基づいて下されるべきである。
【００２４】
さらに、以下に実施される本発明の好適な実施例は、本発明をなす技術的構成要素を効率よく説明するために、それぞれのシステムの機能構成に既に備えられているか、或いは本発明の属する技術分野における通常備えられるシステムの機能構成はできる限り省略し、本発明のためにさらに備えられるべき機能構成を中心に説明する。
【００２５】
本発明の属する技術分野における通常の知識を有する者であれば、下記に図示せずに省略された機能構成のうち、従来から既に使われている構成要素の機能を容易に理解することができ、また、前述のように省略された構成要素と本発明のために追加された構成要素との関係も明らかに理解することができるであろう。
【００２６】
また、下記の実施例では、本発明の核心的な技術的特徴を効率よく説明するために、本発明の属する技術分野における通常の知識を有する者が明確に理解し得るように用語を適切に変形させて使用するが、本発明はこれに限定されるものではない。
【００２７】
結果的に、本発明の技術的思想は請求の範囲によって定められ、下記の実施例は進歩的な本発明の技術的思想を本発明の属する技術分野における通常の知識を有する者に効率よく説明するための一つの手段に過ぎない。
【００２８】
図２は本発明のコンパクト容器の全体外観を示す斜視図である。
【００２９】
図３は本発明のコンパクト容器の部分切開斜視図である。
【００３０】
図４は本発明のコンパクト容器の分解斜視図である。
【００３１】
図５は本発明のプッシュボタンの分解斜視図である。
【００３２】
図６は本発明のコンパクト容器を示す断面図である。
【００３３】
図７は図６の要部拡大図である。
【００３４】
図８は本発明のポンピング動作を示す断面図である。
【００３５】
図９は図８の要部拡大図である。
【００３６】
本発明の実施例に係るエアレスポンプを有するコンパクト容器１００は、内容物を貯蔵するための第１貯蔵空間１０が形成された容器本体１１と、前記容器本体１１上に装着された保護ケース１３とを備える。
【００３７】
本発明の実施例において、前記内容物は、コンパクトファウンデーションであると説明するが、固形化されたパウダー状、ゲル状または液状の化粧料であってもよく、容器に貯蔵して皮膚に塗布することが可能な皮膚接触物質であればいずれでも構わない。
【００３８】
前記容器本体１１は、固定構造体１５に連結されて第１貯蔵空間１０を限定する第１本体１７、および前記第１本体１７を包み込む第２本体１９を含む。前記第２本体１９には、保護ケース１３が回動できるようにヒンジ結合構造が設けられている。前記第２本体と前記保護ケースとの結合構造は公知の一般的な構造であるから、これ以上の説明は省略する。
【００３９】
前記保護ケース１３は、第１貯蔵空間１０に貯蔵された内容物を噴出するための吐出口２３を備える第１ケース２５、および前記第１ケース２５上に設けられて第２本体１９とヒンジ結合する第２ケース２７を含む。未説明符号２９は第１ケースと第２本体との間を支持する支持手段である。
【００４０】
前記第１ケース２５と第１本体１７との間に固定構造体１５が位置する。前記固定構造体１５は、容器本体１１の内側に装着され、第１本体１７と一緒に第１貯蔵空間１０を限定する。前記固定構造体１５は、構造体ホール３１が設けられた第１シリンダー３３、および前記第１シリンダー３３とは離隔して第１シリンダー３３を包むように設けられた第２シリンダー３５を備える。前記第２シリンダー３５は固定構造体１５の上面から下方に伸びている。
【００４１】
この場合、前記第１シリンダー３３は、第２シリンダー３５との間に第１弾性手段３７が位置するように設けられたことが好ましい。この場合、前記第１弾性手段３７は、スプリングまたは弾性ゴムなどから形成できる。前記第１シリンダー３３の構造体ホール３１の下部には、内容物を吐出口２３を介して吐出する前に、内容物を一時的に貯蔵するための第２貯蔵空間３９が形成されている。前記固定構造体１５と前記第１本体１７との間には内容物圧縮手段４１が位置する。
【００４２】
前記内容物圧縮手段４１は、第１貯蔵空間１０内に貯蔵された内容物上に位置することが好ましい。前記内容物圧縮手段４１は、吐出口２３から内容物が放出される場合、高さが低くなる内容物の高さに対応して第１貯蔵空間１０の下部へ移動する。前記内容物圧縮手段４１は、固定構造体１５の内壁に装着され、前記第２シリンダー３５を貫通して第２シリンダー３５の表面に沿って第１貯蔵空間１０の下部へ移動することが好ましい。
【００４３】
一方、前記固定構造体１５の第１シリンダー３３内の第２貯蔵空間３９には、構造体ホール３１の上下に移動して吐出口２３を開閉するためのピストンモジュール４３が位置し、前記第１シリンダー３３の上端部には位置限定手段４５が装着されている。また、前記ピストンモジュール４３と第１ケース２５との間にはピストンモジュール４３を昇降させるためのプッシュボタン４７が位置している。
【００４４】
本発明のプッシュボタン４７は第１押さえ手段７３および第２押さえ手段７５から構成される。
【００４５】
前記第１押さえ手段７３は、押圧用突起７３ａ、および前記押圧用突起から両側に延びた第１水平パネル７３ｂからなるが、前記第１水平パネル７３ｂの内側に半円状の挿入用ホール７３ｃが設けられ、第１水平パネル７３ｂにはヒンジ部７３ｄが両側に突設されてなる。
【００４６】
前記第２押さえ手段７５は、第１押さえ手段７３の挿入用ホール７３ｃに嵌合され、支持用突起７５ａ、および前記支持用突起７５ａから両側に延びた第２水平パネル７５ｂからなるが、第１水平パネルに結合されるヒンジ７５ｃが設置され、前記第２水平パネル７５ｂの内側には半円状のホール７５ｄが設けられてなる。
【００４７】
前記第２水平パネル７５ｂは、吐出口開閉手段５１の上部面を覆う形態で結合され、第１押さえ手段７３の押圧用突起７３ａを押圧すると、第２押さえ手段７５の第２水平パネル７５ｂが下降しながらピストンモジュール４３を作動させる。
【００４８】
前記ピストンモジュール４３は、第１ケース２５の吐出口２３を開閉するための吐出口開閉手段５１、前記第１シリンダー３３の内側で吐出口開閉手段５１の下部に位置する密閉手段５３、および前記密閉手段５３の下部に位置する支持体５５を備える。
【００４９】
前記吐出口開閉手段５１は、プッシュボタン４７に設けられた開閉手段貫通ホール５７を貫通して吐出口２３を開閉する。前記吐出口開閉手段５１は、吐出口２３を開閉し、前記内容物を吐出口２３の方向に案内するための案内流路５１ａを有する開閉棒５９を備える。また、前記吐出口開閉手段５１は、開閉棒５９に延設され、前記プッシュボタン４７の下面から伸びた段差部７５の動作によって開閉棒５９を昇降させるフランジ部６１を備える。
【００５０】
前記密閉手段５３は吐出口開閉手段５１の昇降動作に対応して昇降する。前記密閉手段５３は、第１シリンダー３３の内壁に沿って上下に移動し、前記第１シリンダー３３の上端部に位置する位置限定手段４５によって上昇が制限される。言い換えれば、前記位置限定手段４５は密閉手段５３の最大上昇高さを限定する。
【００５１】
前記支持体５５は、円筒状をし、前記密閉手段５３を貫通し、前記内容物を案内するための案内ホールを備え、前記案内ホールは、支持胴体６５、および前記支持胴体６５の端部から延びて密閉手段５３の端部に対して接触または離隔する支持体延長部６７を備える。前記支持体延長部６７は、密閉手段５３の端部に対して接触または離隔することにより、内容物を吐出するかどうかを制御する。言い換えれば、前記支持体５５は、密閉手段５３の端部に対して接触または離隔することにより、第２貯蔵空間３９に貯蔵された内容物を吐出口２３の方向に移動させる。
【００５２】
前記吐出口２３の上部には吐出微細ホール５７ａを有するディスク型パネル５７が結合され、前記吐出部２３を介して提供された化粧溶液は離隔空間部５７ｂおよび吐出微細ホール５７ａを介してディスク型パネル５７の上部に上がってくる。そうすると、使用者はディスク型パネル５７の上部に上がってきた化粧溶液を用いて化粧することができる。
【００５３】
すなわち、前記ディスク型パネル５７は、ピストンモジュール４３の上部に位置し、ピストンモジュールのポンピング作用によって上部に吐出される化粧液が吐出口および吐出微細ホールを介して外部へ出力されるように構成されている。
【００５４】
また、前記ディスク型パネル５７は、金属または合成樹脂製であるが、パネルボディに吐出微細ホールを打孔して容易に形成するために金属または合成樹脂材を用意し、それ自体に様々な個数の微細ホールを穿設する。参考までに、前記ホールの全体模様は花や蝶などの様々な形状でありうる。
【００５５】
前記ディスク型パネル５７の上部には固定手段としてリング状の密閉用カバー８０がさらに設置され、前記密閉用カバーは第１ケースの外側に覆われながらディスク型パネルを固定させる。
【００５６】
前記ピストンモジュール４３の上部に位置するプッシュボタン４７は、プッシュ動作によってピストンモジュール４３を構造体ホール３１の上下に移動させる。この場合、前記プッシュボタン４７と前記ピストンモジュール４３との相対的な移動方向は互いに垂直であることが好ましい。
【００５７】
一方、前記支持体５５の下部の第２貯蔵空間の下側にはバルブモジュール７７が位置している。前記バルブモジュール７７は、固定構造体１５の下部に設けられ、第１貯蔵空間１０と第２貯蔵空間３９とを連結する貯蔵空間連結ホール７９を開閉するためのバルブ本体８１を備える。この場合、前記バルブ本体８１は、第１貯蔵空間１０と第２貯蔵空間３９とを連通させ、内容物が第１貯蔵空間１０から第２貯蔵空間３９へ移動することを制御する。前記バルブ本体８１からバルブ延長部８３が伸びており、前記バルブ延長部８３は固定構造体１５によって支持される。前記バルブ延長部８３は、貯蔵空間連結ホール７９が開かれる場合、第１貯蔵空間１０に貯蔵された内容物を第２貯蔵空間３９へ移動させるための内容物流入口８５を備える。
【００５８】
したがって、本発明のコンパクト容器１００は、吐出口開閉手段の上部にプッシュボタン４７を装着することにより、内容物を選択的に一定量だけコンパクト容器１００の外部へ吐出させ、容器の内部に貯蔵された内容物が外部の異物によって汚染するのを防止することができる。また、前記コンパクト容器１００は、化粧品を長時間使用しない場合には、吐出口２３を塞ぐことで、内容物に含まれている水分が蒸発して内容物の構成成分の割合が変わるのを防止することにより、最適の状態で内容物を使用することができ、化粧品を使用しない場合には、吐出口２３を塞ぐことで、意図していない状態で容器が押圧されて内容物が流出するのを防止することができる。
【００５９】
以下、図７〜図９を参照して本発明の動作を説明する。
【００６０】
使用者は、コンパクト容器１００を使用するために、第２ケース２７を開きながら第１ケース２５を露出させる。この場合、前記第１ケース２５の吐出口２３は、吐出口開閉手段５１に備えられた開閉棒５９によって閉じている。したがって、本発明のコンパクト容器１００は、化粧品を長時間使用しない場合には、吐出口２３を塞ぐことで、内容物に含まれている水分が蒸発して内容物の構成成分の割合が変わるのを防止することにより、最適の状態で内容物を使用することができ、化粧品を使用しない場合には、吐出口２３を塞ぐことで、意図していない状態で容器が押圧されて内容物が流出するのを防止することができる。
【００６１】
前記使用者がプッシュボタン４７の第１押さえ手段７３の押圧用突起７３ａに圧力を加えて下方向に押すと、第１水平パネル７３ｂがヒンジ部７３ｄを中心に下降する。
【００６２】
このとき、前記第１水平パネル７３ｂの中心部にヒンジ７５ｃで結合される第２押さえ手段７５が下降し、前記第２押さえ手段７５の支持用突起７５ａを中心に第２水平パネル７５ｂを押圧する。
【００６３】
すなわち、第１押さえ手段７３を押すと、第２押さえ手段７５の第２水平パネル７５ｂがヒンジ７５ｃを中心に回転運動をして下降するのである。
【００６４】
前記第２水平パネル７５ｂが下降すると、第２水平パネル７５ｂの接触した吐出口開閉手段５１に圧力が提供される。吐出口開閉手段５１を固定構造体１５の第２貯蔵空間３９の下部へ移動させる。
【００６５】
前記吐出口開閉手段５１が固定構造体１５の第１シリンダー３３の内側で下部へ移動しながら、吐出口開閉手段５１の下部に順次位置する密閉手段５３および支持体５５も第２貯蔵空間３９の下部へ移動する。
【００６６】
前記支持体５５が第２貯蔵空間３９の下部へ移動しながら、第２貯蔵空間３９に予め貯蔵された内容物によって互いに接触していた密閉手段５３の端部および支持体５５の支持体延長部６７が離隔する。よって、前記第２貯蔵空間３９に貯蔵された内容物は、互いに離隔している密閉手段５３の端部と支持体５５の支持体延長部６７との空間に沿って支持体５５の案内ホール６３へ移動した後、第１ケース２５の吐出口２３を介してコンパクト容器１００の外部へ排出される。
【００６７】
本発明は、吐出口２３の上部にディスク型パネル５７がさらに設置され、前記ディスク型パネル５７には多数の微細ホール５７ａが設けられているから、前記吐出口２３から出力された化粧液が前記微細ホール５７ａを介して出力されるので、ディスク型パネル５７の上部に均一に化粧溶液が吐出されて使用者がより使用し易いように分布する。
【００６８】
より詳しくは、前記吐出部２３を介して提供された化粧溶液は離隔空間部５７ｂおよび吐出微細ホール５７ａを介してディスク型パネル５７の上部に上がってくるが、そうすると、使用者はディスク型パネル５７の上部に上がってきた化粧溶液を用いて化粧することができる。
【００６９】
このとき、前記ディスク型パネル５７は、密閉用カバーによって結合されるため、固定状態が継続的に保持された状態で吐出微細ホール５７ａを介して連続的に化粧溶液が噴出できる。
【００７０】
使用者がコンパクト容器１００の使用を終えた後、プッシュボタン４７の圧力を解除した場合、弾性手段の作用によってプッシュボタンは元の位置に移動する。
【００７１】
この場合、前記プッシュボタン４７の段差部７５によって吐出口開閉手段５１のフランジ部６１に加えられた圧力が解除され、前記第１シリンダー３３と第２シリンダー３５との間に位置する弾性手段３７の復元力によって吐出口開閉手段５１が元の位置に戻って吐出口２３を閉じる。
【００７２】
この過程で、公知の物理法則に基づいて、圧力差によりバルブモジュール７７が第２貯蔵空間３９の方向に移動する。前記バルブモジュール７７の移動に応じて、前記バルブモジュール７７のバルブ本体８１は貯蔵空間連結ホール７９を開いて第１貯蔵空間１０と第２貯蔵空間３９とを連通させ、前記第１貯蔵空間１０に貯蔵された内容物は第２貯蔵空間３９へ移動して第２貯蔵空間３９を満たし、前記第１貯蔵空間１０と前記第２貯蔵空間３９との圧力差が減少してバルブモジュール７７が貯蔵空間連結ホール７９を塞ぐ。
【００７３】
また、前記内容物圧縮手段４１は、第１貯蔵空間１０に収容された内容物の高さが低くなることに対応して、第１貯蔵空間１０の下部へ移動する。よって、本発明のコンパクト容器１００は、プッシュボタン４７を用いて内容物を選択的に定量吐出することにより、化粧の効率を極大化させることができる。
【符号の説明】
【００７４】
１１    容器本体
１３    保護ケース
１５    固定構造体
１７    第１本体
１９    第２本体
２５    第１ケース
２７    第２ケース
３３    第１シリンダー
３５    第２シリンダー
３７    第１弾性手段
３９    第２貯蔵空間
４１    内容物圧縮手段
４３    ピストンモジュール
４５    位置限定手段
４７    プッシュボタン
５１    吐出口開閉手段
５３    密閉手段
５５    支持体
５７    ディスク型パネル
５７ａ  微細ホール
５９    開閉棒
６１    フランジ部
６３    支持胴体
６５    支持体延長部
６７    支持体延長部
７３    第１押さえ手段
７３ａ  押圧用突起
７３ｂ  第１水平パネル
７３ｃ  挿入用ホール
７３ｄ  ヒンジ部
７５    第２押さえ手段
７５ａ  支持用突起
７５ｂ  第２水平パネル
７５ｃ  ヒンジ
７５ｄ  半円状のホール
７７    バルブモジュール
７９    貯蔵空間連結ホール
８１    バルブ本体
８３    バルブ延長部
８５    内容物流入口
１００  コンパクト容器
【図１】
2017500897.tif 000003
【図２】
2017500897.tif 000004
【図３】
2017500897.tif 000005
【図４】
2017500897.tif 000006
【図５】
2017500897.tif 000007
【図６】
2017500897.tif 000008
【図７】
2017500897.tif 000009
【図８】
2017500897.tif 000010
【図９】
2017500897.tif 000011
【国際調査報告】
2017500897.tif 000012
2017500897.tif 000013
2017500897.tif 000014
2017500897.tif 000015